(57)【要約】【課題】引き出しを抵抗の少ない状態で常にスムーズに行え、切断は充分な引き出し長さに達した状態で行えるペーパーホルダーを提供する。【解決手段】ロールペーパー１を収納可能な本体１１は、Ｕ字状の受け部１１ａと、左右の側板部１１ｂからなる。受け部１１ａの前面側に引き出し案内用の凹状部１２を形成し、本体１１側に、凹状部１２の前方に位置自在な切断操作体１７を上下動自在に設け、切断操作体１７の上向き部に切断部１７ｄを形成した。本体内にセットしたロールペーパーの端を把持して引き出すとき、切断操作体が下動して凹状部の前方を開放していることで、引き出しは切断部に摺接することなく、抵抗の少ない状態で常にスムーズに行える。引き出しを行ったのち、切断操作体を上動させて凹状部の前方に位置させ、切断部をペーパーの下面に当接させて持ち上げ状としたのち、ペーパーに下方かつ横方向の引き力を作用させることで、切断部に沿ってペーパーを切断でき、切断は充分な（目的とする）引き出し長さに達した状態で行える。【選択図】図１
2005111012.tif 000002
【特許請求の範囲】
【請求項１】
ロールペーパーを収納可能な本体は、Ｕ字状の受け部と、左右の側板部とからなり、受け部の前面側には引き出し案内用の凹状部が形成され、前記本体側には、前記凹状部の前方に位置自在な切断操作体が上下動自在に設けられ、この切断操作体には、その上向き部に切断部が形成されていることを特徴とするペーパーホルダー。
【請求項２】
ロールペーパーのペーパ幅に対して、凹状部の引き出し幅が狭く形成されていることを特徴とする請求項１記載のペーパーホルダー。
【発明の詳細な説明】
【技術分野】
【０００１】
本発明は、たとえばトイレットに備えられ、ロールペーパーの収納を行うペーパーホルダーに関するものである。
【背景技術】
【０００２】
従来、この種のペーパーホルダーとしては、ロール紙をセット可能な本体に、ロール紙の上部を覆うカバーが軸芯を介して揺動可能に取り付けられ、このカバーの中央部に切り欠き部が設けられている。そして、切り欠き部を覆うプレートが軸芯を介して揺動可能に取り付けられ、またカバーには、ロール紙を刃部で切り取る刃体が軸芯を介して揺動可能に取り付けられている。
【０００３】
この従来構成によると、カバーの取り出し口にロール紙の端を通し、引き出された端を持って上へ引く。すると、刃部とカバーが持ち上がり、カバーの先端も浮き上がり、これによってロール紙を引き出せる。切断したい部位では、引く方向を先端部の方向に変える。すると、刃部が持ち上がり、刃体が先端部をロール紙に押し付けて、ロール紙の回転を停止させ、このとき、ロール紙を引くことで、刃部がロール紙を切断することになる（たとえば、特許文献１参照。）。
【特許文献１】特開平８−１０７８３８号公報（第２−３頁、第１、３、６図）
【発明の開示】
【発明が解決しようとする課題】
【０００４】
しかし、上記した従来構成によると、引き出された端を持って上へ引く際に、刃部に対してロール紙が摺接状態にあることから、その摺接抵抗によって引き出しがスムーズに行えない場合もある。特に引き出し方向が先端部の方向に傾いたときには、引き出し作用が切断作用へと自動的に移行することになり、充分な引き出し長さに達する前に切断されるなど、その引き出し操作は容易に行えない。
【０００５】
そこで本発明の請求項１記載の発明は、引き出しを抵抗の少ない状態で常にスムーズに行え、切断は充分な（目的とする）引き出し長さに達した状態で行えるペーパーホルダーを提供することを目的としたものである。
【課題を解決するための手段】
【０００６】
前述した目的を達成するために、本発明の請求項１記載のペーパーホルダーは、ロールペーパーを収納可能な本体は、Ｕ字状の受け部と、左右の側板部とからなり、受け部の前面側には引き出し案内用の凹状部が形成され、前記本体側には、前記凹状部の前方に位置自在な切断操作体が上下動自在に設けられ、この切断操作体には、その上向き部に切断部が形成されていることを特徴としたものである。
【０００７】
したがって請求項１の発明によると、本体内へのロールペーパーの投入は、その引き出し（巻き戻し）が下部側から行われる向きで行われる。この投入したロールペーパーは、その下位円弧面が受け部の円弧面に受け止められ、そして、ロールペーパーの端を凹状部から少し引き出すことにより本体内にセットし得る。ペーパーを使用するに際し、ロールペーパーの端を把持して引き出すとき、切断操作体が下動して凹状部の前方を開放させていることで、引き出しは切断部に摺接することなく行える。充分な（目的とする）引き出しを行ったのち、切断操作体を上動させて凹状部の前方に位置させる。この上動によって、切断部をペーパーの下面に当接させて持ち上げ状としたのち、ペーパーに下方かつ横方向の引き力を作用させることで、切断部に沿ってペーパーを切断し得る。その後に、上動力を開放させるなどすることで、切断操作体を自重などによって下動させ、ペーパーを使用する前の状態に戻し得る。
【０００８】
また本発明の請求項２記載のペーパーホルダーは、上記した請求項１記載の構成において、ロールペーパーのペーパ幅に対して、凹状部の引き出し幅が狭く形成されていることを特徴としたものである。
【０００９】
したがって請求項２の発明によると、ロールペーパーの端を把持して引き出すとき、ペーパーの左右側縁は、狭い引き出し幅の凹状部の部分において折り返し状となり、これにより左右側縁に強度が生じることになる。
【発明の効果】
【００１０】
上記した本発明の請求項１によると、その引き出し（巻き戻し）が下部側から行われる向きで本体内に投入したロールペーパーは、その下位円弧面が受け部の円弧面に受け止められ、そして、ロールペーパーの端を凹状部から少し引き出すことにより本体内にセットできる。ペーパーを使用するに際し、ロールペーパーの端を把持して引き出すとき、切断操作体が下動して凹状部の前方を開放させていることで、引き出しは切断部に摺接することなく、すなわち抵抗の少ない状態で常にスムーズに行うことができる。充分な（目的とする）引き出しを行ったのち、切断操作体を上動させて凹状部の前方に位置させることによって、切断部をペーパーの下面に当接させて持ち上げ状としたのち、ペーパーに下方かつ横方向の引き力を作用させることで、切断部に沿ってペーパーを切断でき、以て切断は充分な（目的とする）引き出し長さに達した状態で行うことができる。
【００１１】
また上記した本発明の請求項２によると、ロールペーパーの端を把持して引き出すとき、ペーパーの左右側縁は、狭い引き出し幅の凹状部の部分において折り返し状となり、これにより左右側縁に強度を生じさせることができて、例え強度が弱いペーパーであったとしても、引き出しは途中切断などされることなく、充分な（目的とする）引き出し長さに行うことができる。
【発明を実施するための最良の形態】
【００１２】
［実施の形態］
以下に、本発明の実施の形態を図に基づいて説明する。
ロールペーパー１を収納可能な本体１１は、Ｕ字状の受け部１１ａと、左右の側板部１１ｂとからなり、受け部１１ａの前面側には引き出し案内用の凹状部１２が切り欠き状に形成され、また受け部１１ａの底部分には取り出し用などの操作孔１３が長孔状に形成されている。ここで、本体１１に収納可能なロールペーパー１のペーパ幅１Ｗに対して、凹状部１２の引き出し幅１２Ｗが狭く、すなわち１Ｗ＞１２Ｗに形成されている。なお、たとえばペーパ幅１Ｗが約１１５ｍｍのとき、引き出し幅１２Ｗは約１０５ｍｍとなるように形成されている。そして凹状部１２の左右のコーナ部分は円弧面１２ａに形成されている。
【００１３】
前記本体１１側には、開放された上面を開閉自在な蓋体１５が上下動自在に設けられている。この蓋体１５は、上板部１５ａの基端に曲げ部１５ｂが形成されるとともに、上板部１５ａの遊端側には前板部１５ｃが下方折り曲げ状に形成されている。そして、左右の側板部１１ｂの後端上部間に保持される左右方向の軸体１６が曲げ部１５ｂに通されることで、蓋体１５は、本体１１側に対して上下動自在に設けられる。その際に蓋体１５は、軸体１６を介して下方揺動させたとき、上板部１５ａの両側縁が左右の側板部１１ｂの上縁上に載置されるとともに、前板部１５ｃが凹状部１２の上半部を前面側から閉塞するように形成されている。また蓋体１５を、軸体１６を介して上方揺動させたとき、本体１１の上面が開放されるように形成されている。
【００１４】
前記本体１１側には切断操作体１７が上下動自在に設けられている。この切断操作体１７は、前記凹状部１２の前方に位置自在（対向自在）な左右方向の前板部１７ａと、この前板部１７ａの左右側縁から後方折り曲げ状に形成された左右一対の側板部１７ｂと、前板部１７ａの下縁から前方折り曲げ状に形成された操作板部１７ｃと、前板部１７ａの上縁面（上向き部）に形成された波歯状の切断部１７ｄなどから構成されている。
【００１５】
この切断操作体１７は、左右一対の側板部１７ｂが左右の側板部１１ｂの外側に位置され、そして側板部１７ｂの後端寄りの位置が側板部１１ｂの中間部分に左右方向のピン体１８を介して連結されることで、本体１１側に対して上下動自在に設けられる。その際に切断操作体１７の下動位置は、側板部１１ｂに設けられたストッパー体１９に側板部１１ｂの下縁が当接することで規制され、この規制された下動位置において前板部１７ａは、凹状部１２の下方に移動して、凹状部１２の前方を開放するように構成されている。
【００１６】
以上の１１〜１９などによってペーパーホルダー１０の一例が構成され、このペーパーホルダー１０は、壁体５などに対して、受け部１１ａの後面側が当接されたのち、連結具や接着剤などを介して固定される。なおペーパーホルダー１０における本体１１、蓋体１５、切断操作体１７は、アクリル樹脂や塩化ビニルなどによって透明状に形成されている。
【００１７】
以下に、上記した実施の形態における作用を説明する。
図２や図３仮想線に示すように、蓋体１５を、軸体１６を介して上方揺動させ、本体１１の上面を開放させた状態で、この上面の開放部を通して、本体１１内にロールペーパー１を投入させる。このときロールペーパー１の投入は、その引き出し（巻き戻し）が下部側から行われる向きで行われ、この投入されたロールペーパー１は、その下位円弧面がＵ字状の受け部１１ａの円弧面に受け止められる。
【００１８】
そして、ロールペーパー１の端１ａを凹状部１２から少し引き出した状態で、蓋体１５を、軸体１６を介して下方揺動させて、上板部１５ａの両側縁を左右の側板部１１ｂの上縁上に載置させて本体１１の上面を閉塞させるとともに、前板部１５ｃによって凹状部１２の上半部を前面側から閉塞させる。これにより図３実線や図４、図５に示すように、ペーパーホルダー１０にロールペーパー１をセットし得る。
【００１９】
ペーパーを使用するに際し、図１仮想線や図３実線に示すように、切断操作体１７が下動している状態で、ロールペーパー１の端１ａを把持して引き出す。このとき、前板部１７ａが凹状部１２の下方に移動して、凹状部１２の前方を開放させていることで、引き出しは切断部１７ｄに摺接することなく行える。また、ペーパ幅１Ｗに対して凹状部１２の引き出し幅１２Ｗが狭いことから、ペーパーの左右側縁は、凹状部１２の部分において折り返し状となり、これにより左右側縁に強度が生じて、例え強度が弱いペーパーであったとしても、引き出しは途中切断などされることなく、充分な（目的とする）引き出し長さに行える。なお引き出し時における折り返しは、円弧面１２ａの案内などによってスムーズに行える。
【００２０】
充分な（目的とする）引き出しを行ったのち、操作板部１７ｃを介して切断操作体１７を上動させ、図１実線や図３仮想線に示すように、前板部１７ａを凹状部１２の前方に位置させる。この上動によって、切断部１７ｄをペーパーの下面に当接させて持ち上げ状としたのち、ペーパーに下方かつ横方向の引き力を作用させることで、切断部１７ｄに沿ってペーパーを切断し得る。その後に、操作板部１７ｃを介しての上動力を開放させるなどすることで、切断操作体１７を自重などによって下動させ、ストッパー体１９に当接させることで、ペーパーを使用する前の状態に戻し得る。
【００２１】
以上のように、ペーパーの引き出しは、引き出しを抵抗の少ない状態で常にスムーズに行え、切断は充分な（目的とする）引き出し長さに達した状態で行えることになる。
上記した実施の形態では、ロールペーパー１のペーパ幅１Ｗに対して、凹状部１２の引き出し幅１２Ｗを狭く形成した形式を示したが、これはペーパ幅と引き出し幅とが同等状の形式、ペーパ幅に対して引き出し幅を広く形成した形式などであってもよい。
【００２２】
上記した実施の形態では、操作板部１７ｃを介して切断操作体１７を上動させる形式を示したが、これは切断操作体１７に連動した足踏み操作体を設けて、足踏み操作によって切断操作体１７を上動させる形式などであってもよい。
【００２３】
上記した実施の形態では、ペーパーホルダー１０における本体１１、蓋体１５、切断操作体１７を透明状に形成したことによって、ロールペーパー１の使用状態を容易に把握し得る形式を示したが、これは一部または全部を不透明に形成した形式などであってもよい。
【図面の簡単な説明】
【００２４】
【図１】本発明の実施の形態を示し、ペーパーホルダーの使用時の斜視図である。
【図２】同ペーパーホルダーにおけるロールペーパーを収納する前の斜視図である。
【図３】同ペーパーホルダーの使用時の縦断側面図である。
【図４】同ペーパーホルダーの使用時の正面図である。
【図５】同ペーパーホルダーの使用時の横断平面図である。
【符号の説明】
【００２５】
１    ロールペーパー
１ａ  端
１Ｗ  ペーパー幅
１０    ペーパーホルダー
１１    本体
１１ａ  受け部
１１ｂ  側板部
１２    凹状部
１２ａ  円弧面
１２Ｗ  引き出し幅
１５    蓋体
１６    軸体
１７    切断操作体
１７ａ  前板部
１７ｂ  側板部
１７ｃ  操作板部
１７ｄ  切断部
１８    ピン体
１９    ストッパー体
【図１】
2005111012.tif 000003
【図２】
2005111012.tif 000004
【図３】
2005111012.tif 000005
【図４】
2005111012.tif 000006
【図５】
2005111012.tif 000007